(57)【要約】【課題】収納性に優れた野球盤を提供すること。【解決手段】野球場を模したゲーム領域１１ａが盤面１１に形成されたゲーム盤本体１０を有し、送球部２０から捕球部４０に向けてボールＢを送り出し、この送り出されたボールＢを、バッティング部３０で打ち返す野球盤１において、ゲーム盤本体１０は、盤面１１と、この盤面１１に対向する裏面１２とがいずれも平坦な板状部材によって形成されている構成とした。【選択図】図１
2020065730.tif 000002
【特許請求の範囲】
【請求項１】
野球場を模したゲーム領域が盤面に形成されたゲーム盤本体を備え、送球部から捕球部に向けて送り出されたボールを、バッティング部で打ち返して遊ぶ野球盤において、
前記ゲーム盤本体は、前記盤面と、この盤面に対向する裏面とがいずれも平坦な板状部材である
ことを特徴とする野球盤。
【請求項２】
請求項１に記載された野球盤において、
前記送球部は、前記捕球部の前方に設けられたホームベースの正面方向を挟んで隣接配置された一対の送球機構を有し、
前記一対の送球機構は、前記ボールを送り出す送球口がそれぞれ前記ホームベースに向けられている
ことを特徴とする野球盤。
【請求項３】
請求項２に記載された野球盤において、
前記盤面は、前記ゲーム領域の周縁の外側に形成された送球領域を有し、
前記送球部は、前記送球領域に設けられている
ことを特徴とする野球盤。
【請求項４】
請求項１から請求項３のいずれか一項に記載された野球盤において、
前記バッティング部は、バットと、前記盤面から起立すると共に上方に開放した円筒支持部と、を有し、
前記バットは、棒状のバット本体と、前記バット本体のグリップから径方向に突出すると共に前記円筒支持部に回転可能に差し込まれる保持軸と、前記バット本体の周面から前記保持軸と同一の方向に突出した板状の打撃板と、を有し、
前記保持軸と前記打撃板との間には、前記ボールが通過可能な間隙を設けた
ことを特徴とする野球盤。
【請求項５】
請求項４に記載された野球盤において、
前記バッティング部は、前記盤面に形成された第１係止部と、前記バット本体のグリップエンドに形成された第２係止部と、前記第１係止部及び前記第２係止部とを弾性変形可能に連結する弾性部材と、を有する
ことを特徴とする野球盤。
【請求項６】
請求項１から請求項５のいずれか一項に記載された野球盤において、
前記ゲーム盤本体は、前記裏面に印刷層が設けられた透明部材によって形成されている
ことを特徴とする野球盤。
【発明の詳細な説明】
【技術分野】
【０００１】
本発明は、野球盤に関するものである。
【背景技術】
【０００２】
従来、野球場を模したゲーム盤本体の盤面上で、送球部から捕球部に向けて送り出されたボールを、バッティング部で回転させるバットにより打ち返して遊ぶ野球盤が知られている（例えば、特許文献１参照）。ここで、野球盤のゲーム盤本体は、盤面の周囲から起立するスタンド部や周壁部を有していたり、ゲーム盤本体の裏面に投球のための機構や、磁石によって鉄製のボールの軌道を曲げて「変化球」とする機構が設けられたりしている。
【先行技術文献】
【特許文献】
【０００３】
【特許文献１】特開２０１５−１５７０６４号公報
【発明の概要】
【発明が解決しようとする課題】
【０００４】
すなわち、従来の野球盤にあっては、ゲーム盤本体の盤面及び裏面のそれぞれに、立体的な凹凸が形成されている。さらに、従来の野球盤では、盤面にボールが落下する開閉可能な扉を設けて「消える魔球」とする等、ボールの軌道を三次元方向に変化させるため、ゲーム盤本体の厚みが増してしまう。そのため、ゲーム盤本体が厚みを持って大きくなり、収納しにくいという問題がある。
【０００５】
本発明は、上記問題に着目してなされたもので、収納性に優れた野球盤を提供することを目的としている。
【課題を解決するための手段】
【０００６】
上記目的を達成するため、本発明の野球盤は、野球場を模したゲーム領域が盤面に形成されたゲーム盤本体を有し、送球部から捕球部に向けて送り出されたボールを、バッティング部で打ち返して遊ぶ。
そして、ゲーム盤本体は、盤面と、この盤面に対向する裏面とがいずれも平坦な板状部材である。
【発明の効果】
【０００７】
本発明の野球盤では、ゲーム盤本体が、盤面及び裏面がいずれも平坦な板状部材であるため、ゲーム盤本体の厚みを薄くして、狭い隙間であっても収納を可能にすることができる。さらに、このゲーム盤本体を壁に掛けても、壁からほとんど出っ張ることがない。そのため、壁面を利用して常に見えるようにしながら収納するいわゆる壁掛け収納によって収納することもできる。これにより、ゲーム盤本体を収納しやすくなり、収納性に優れたものとすることができる。
【図面の簡単な説明】
【０００８】
【図１】（ａ）は、実施例１の野球盤を示す全体斜視図であり、（ｂ）は、図１（ａ）におけるＡ−Ａ断面図である。
【図２】実施例１のゲーム盤本体を示す平面図である。
【図３】（ａ）は、実施例１の送球部のスロープ部材を示す分解斜視図であり、（ｂ）は、実施例１のスロープ部材を示す斜視図である。
【図４】（ａ）は、実施例１のバッティング部を示す分解斜視図であり、（ｂ）は、実施例１のバッティング部を示す斜視図である。
【図５】実施例１の野球盤の要部を拡大した斜視図である。
【発明を実施するための形態】
【０００９】
以下、本発明の野球盤を実施するための形態を、図面に示す実施例１に基づいて説明する。
【００１０】
（実施例１）
実施例１の野球盤１は、野球を題材としたボードゲームの一種であり、図１（ａ）に示すように、ゲーム盤本体１０と、送球部２０と、バッティング部３０と、捕球部４０と、複数の野手プレート５０と、バックスクリーン６０と、を備えている。
【００１１】
ゲーム盤本体１０は、盤面１１と、この盤面１１に対向する裏面１２とがいずれも平坦な板状部材である。このゲーム盤本体１０は、ここでは、透明部材である無色透明なアクリルプレートによって形成されている。このゲーム盤本体１０は、盤面１１を上方に向けて平らなテーブル等の上に載置して使用する。
【００１２】
盤面１１は、ゲーム盤本体１０の一方の面であり、野球場を模したゲーム領域１１ａと、ゲーム領域１１ａのグランド部分の外周縁の外側に設けられた送球領域１１ｂと、を有している。
【００１３】
ゲーム領域１１ａには、レーザー加工により、バッターボックス１３ａを示すライン、ファウルライン１３ｂ、ネクストバッターズサークル１３ｃを示すライン、内野区画ライン１３ｄ、グラスライン１３ｅ、ピッチャーズマウンド１３ｆを示すライン、ピッチャーズプレート１３ｇを示すライン、スリーフットライン１３ｈ、塁ベース１３ｊ、ホームベース１３ｋが描画されている。また、ゲーム領域１１ａのフェアグラウンド（ファウルライン１３ｂで挟まれた領域）には、ファースト、セカンド、サード、ショート、レフト、センター、ライトの各野手位置に、それぞれゲーム盤本体１０を貫通する平面視で半円形状の第１貫通孔１４が形成されている。各第１貫通孔１４は、いずれも円弧部分がバックスクリーン６０側に臨んでいる。また、各第１貫通孔１４のバックスクリーン６０側には、野手プレート５０を差込み固定するための穴１５が、第１貫通孔１４ごとに一対ずつ形成されている（図２参照）。
【００１４】
さらに、ゲーム領域１１ａのファウルグラウンド（ファウルライン１３ｂの外側の領域）には、ゲーム盤本体１０を貫通する平面視で矩形状の第２貫通孔１６と、平面視で四分の一楕円形状の第３貫通孔１７が一対ずつ形成されている。また、ゲーム領域１１ａのフェアグランドの外周縁の近傍位置には、ゲーム盤本体１０を貫通する第４貫通孔１８が形成されている。この第４貫通孔１８は、ここでは五か所形成され、一定の間隔をあけてゲーム盤本体１０の周方向に沿って並んでいる。なお、各第４貫通孔１８は、いずれも平面視でほぼ矩形状を呈している。
【００１５】
送球領域１１ｂには、後述する送球部２０のスロープ部材２１を差込み固定するための複数の送球部用穴１９ａと、ゲーム盤本体１０を壁掛けするための一つの壁掛け用穴１９ｂが形成されている（図２参照）。ここで、ゲーム領域１１ａのうち、送球領域１１ｂとの近傍位置には、バックスクリーン６０を差込み固定するための一対のバックスクリーン用穴１９ｃ、１９ｃが形成されており、送球部用穴１９ａの一部は、一対のバックスクリーン用穴１９ｃ、１９ｃの間に形成されている。
【００１６】
裏面１２は、ゲーム盤本体１０の他方の面であり、図１（ｂ）に示すように、印刷層１２ａが設けられている。この印刷層１２ａは、ゲーム盤本体１０越しに盤面１１側から視認可能である。すなわち、この印刷層１２ａにより、ゲーム盤本体１０に任意の模様や図柄、色彩等を描画することができる。
【００１７】
送球部２０は、ゲーム盤本体１０に着脱可能に取り付けられ、ボールＢを捕球部４０に向けて送り出す。この送球部２０は、盤面１１が有する送球領域１１ｂに設けられ、捕球部４０の前方（バックスクリーン６０側）に設けられたホームベース１３ｋの正面方向Ｏ１を挟んで隣接配置された一対のスロープ部材２１（送球機構）を有している。ここで、一対のスロープ部材２１は、図１（ａ）に示すように、送球口２１ａがそれぞれホームベース１３ｋに向けられており、互いの送球口２１ａの延長方向Ｏ２が、ホームベース１３ｋ上で交差する。なお、ゲーム領域１１ａに形成された第１貫通孔１４及び第４貫通孔１８は、この送球口２１ａの延長方向Ｏ２と干渉しない位置に形成される。
【００１８】
ここで、「送球口２１ａ」とは、図３（ｂ）に示すように、ボールＢが送り出される部分である。ここでは、送球口２１ａが送球領域１１ｂからゲーム領域１１ａに向けて突出し、ゲーム領域１１ａに位置している。また、ホームベース１３ｋの正面方向Ｏ１上には、図２に示すように、ピッチャーズマウンド１３ｆ及びピッチャーズプレート１３ｇの中心位置、二塁ベース１３ｊ、センター位置の第１貫通孔１４、中央位置の第４貫通孔１８、壁掛け用穴１９ｂがそれぞれ設定されている。
【００１９】
スロープ部材２１は、図３（ａ）に示すように、台座プレート２２と、一対のスローププレート２３、２３と、を有している。台座プレート２２は、矩形状の板部材であり、盤面１１に臨む底面に差込突起２２ａが形成されている。この差込突起２２ａは、ゲーム盤本体１０の送球領域１１ｂに形成された送球部用穴１９ａに差し込まれる。また、底面に対向する上面には一対の噛み合い凹部２２ｂ、２２ｂが形成されている。各噛み合い凹部２２ｂには、スローププレート２３がそれぞれ嵌め込まれる。
【００２０】
スローププレート２３は、直角三角形状の板部材であり、直角の第１角部２３ｄに向き合う斜面２３ｃを上方に向け、内角が最も小さい第２角部２３ｅをホームベース１３ｋに向けた状態で盤面１１に設置される。このスローププレート２３は、盤面１１に臨む底面に、一対の差込突起２３ａ、２３ａと、この一対の差込突起２３ａ、２３ａの間に形成された噛み合い凹部２３ｂと、が形成されている。一対の差込突起２３ａ、２３ａは、それぞれ送球部用穴１９ａに差し込まれる。また、噛み合い凹部２３ｂは、台座プレート２２の上面に形成された噛み合い凹部２２ｂと噛み合い、これによりスローププレート２３が台座プレート２２に直交した状態で連結される。
【００２１】
そして、図３（ｂ）に示すように、一対のスローププレート２３、２３をそれぞれ台座プレート２２に連結した際、この一対のスローププレート２３、２３の各斜面２３ｃの間に生じる隙間によって送球溝２４が形成される。送球溝２４は、ボールＢが回転可能に嵌まり込む溝であり、第２角部２３ｅ（先端）に向かって傾斜して次第に低くなる。すなわち、送球溝２４のうち、第２角部２３ｅに挟まれた部分が送球口２１ａになる。
【００２２】
バッティング部３０は、ゲーム盤本体１０に形成されたバット用穴３１に着脱可能に取り付けられ、送球部２０から送り出されたボール（以下、「投球」という）を打ち返す部分である。このバッティング部３０は、支持部３２と、バット３３と、輪ゴム３４（弾性部材）と、を有している。
【００２３】
ここで、バット用穴３１は、ゲーム盤本体１０を貫通した貫通孔であり、バッターボックス１３ａの内側に形成されている。このバット用穴３１は、平面視で長穴形状を呈しており（図２参照）、長径がホームベース１３ｋの正面方向Ｏ１と平行になっている。また、バット用穴３１は、ホームベース１３ｋを挟んで一対形成されている。
【００２４】
支持部３２は、図４（ａ）に示すように、楕円柱状の台座部３２ａと、台座部３２ａの上面３２ｂから突出した円筒支持部３２ｃと、台座部３２ａの上面３２ｂに形成された第１係止部３２ｄと、を有している。
【００２５】
台座部３２ａは、一対のバット用穴３１、３１のいずれか一方に抜き差し可能に差し込まれる。この台座部３２ａは、バット用穴３１に差し込まれたとき、上面３２ｂが盤面１１とほぼ面一状態で盤面１１から露出する。
【００２６】
円筒支持部３２ｃは、台座部３２ａの上面３２ｂの中心位置から突出し、台座部３２ａをバット用穴３１に差し込むことで盤面１１から起立した状態になる。この円筒支持部３２ｃは、上方に開放した開口部３２ｅを有している。また、円筒支持部３２ｃの高さＨ１は、ボールＢの直径よりも高く設定されている。
【００２７】
第１係止部３２ｄは、台座部３２ａの上面３２ｂから突出すると共に、先端３２ｆが鉤状に屈曲した板片である。第１係止部３２ｄは、円筒支持部３２ｃに隣接している。
【００２８】
バット３３は、図４（ａ）に示すように、棒状のバット本体３３ａと、バット本体３３ａの一端に形成されたグリップ３３ｂから径方向に突出した保持軸３３ｃと、バット本体３３ａの周面から保持軸３３ｃと同一の方向に突出した板状の打撃板３３ｄと、を有している。ここで、保持軸３３ｃは、円筒支持部３２ｃの開口部３２ｅに回転可能に差し込まれるが、保持軸３３ｃの基部には、環状の当接部３３ｅが形成されており、保持軸３３ｃを円筒支持部３２ｃに差し込んだ際、この当接部３３ｅが開口部３２ｅの周縁に干渉する。これに対し、打撃板３３ｄの高さＨ２は、円筒支持部３２ｃの高さＨ１よりも短く設定されている。そのため、保持軸３３ｃを円筒支持部３２ｃに差し込んだ際、打撃板３３ｄの先端が盤面１１に接触することが防止されている。
【００２９】
また、打撃板３３ｄは、バット本体３３ａの他端であるバットヘッド３３ｆから、バット本体３３ａの長さ方向の中間部までの領域に形成され、この打撃板３３ｄと保持軸３３ｃとの間には、ボールＢが通過可能な間隙３３ｇが設けられている。さらに、バット本体３３ａのグリップエンド３３ｈには、周方向に延びる溝からなる第２係止部３３ｊが形成されている。
【００３０】
輪ゴム３４は、第１係止部３２ｄと第２係止部３３ｊとを連結する弾性変形可能な弾性部材であり、一般的な環状のゴムである。この輪ゴム３４には、第１係止部３２ｄ及びグリップエンド３３ｈがそれぞれ挿通され、第１係止部３２ｄの先端３２ｆ及びグリップエンド３３ｈに形成された第２係止部３３ｊの間に架け渡されている。なお、弾性部材としては、輪ゴム３４の他に巻きバネやゴムバンド等であってもよい。
【００３１】
捕球部４０は、ホームベース１３ｋの後方（バックネット側）に形成され、送球部２０から送り出されたボールＢを受け止める部分である。ここでは、ゲーム盤本体１０を貫通し、ゲーム盤本体１０の周方向に並んだ三カ所の貫通孔４１を有している。すなわち、捕球部４０は、各貫通孔４１内周面であるへこみ段差４１ａによって構成されている。なお、ここでは、左右の貫通孔４１は、ホームベース１３ｋとバッターボックス１３ａの間の領域まで拡大されている。しかしながら、左右の貫通孔４１は、バッターボックス１３ａの後方領域のみに形成してもよい。つまり、ホームベース１３ｋとバッターボックス１３ａの間の領域は、盤面１１によって平坦な面に形成されてもよい。
【００３２】
野手プレート５０は、ゲーム盤本体１０に着脱自在に取り付けられ、バッティング部３０で打ち返されたボール（以下、「打球」という）の進行を妨げるものである。この野手プレート５０は、半円形の板部材によって形成され、直線状の側面５１に一対の差込突起５２、５２が形成されている。そして、この野手プレート５０は、各差込突起５２をゲーム領域１１ａに形成された穴１５に差し込むことで、図１（ａ）に示すように盤面１１から起立する。なお、各野手プレート５０は、形状を変えたり、表面や裏面に任意の模様や図柄を付したり、成形品の人形であってもよい。
【００３３】
バックスクリーン６０は、送球領域１１ｂの前方に設置される矩形状の板部材である。このバックスクリーン６０は、盤面１１に臨む底面６０ａに、一対の差込突起６１、６１と、一対の切欠部６２、６２が形成されると共に、一対の切欠部６２、６２の間に規制部６１ａが形成されている。そして、このバックスクリーン６０は、一対の差込突起６１、６１をそれぞれバックスクリーン用穴１９ｃに差し込むことで、図５に示すように盤面１１から起立する。また、規制部６１ａは、一対の差込突起６１、６１がバックスクリーン用穴１９ｃに差し込まれた状態で先端が盤面１１に接触し、ボールＢがバックスクリーン６０の後方に転がることを規制する。
【００３４】
また、一対の切欠部６２、６２は、バックスクリーン６０の底面６０ａを矩形状に切り欠いた部分であり、切欠深さＨ３はボールＢの直径以上に設定されている。そのため、図５に示すように、バックスクリーン６０を盤面１１に設置した際、底面６０ａが盤面１１に突き当たり、ボールＢが通過可能な高さの間隙６２ａが生じる。また、この間隙６２ａには、スロープ部材２１の送球口２１ａが差し込まれ、送球口２１ａから送り出されたボールＢは、バックスクリーン６０に干渉することなく転がっていくことが可能である。
【００３５】
以下、実施例１の野球盤１の作用を説明する。
【００３６】
この野球盤１を使用して遊ぶには、まず、盤面１１を上方に向け、ゲーム盤本体１０をテーブル等の平坦な場所に載置する。次に、送球部２０、バッティング部３０、野手プレート５０、バックスクリーン６０をそれぞれ盤面１１上に設置する。
【００３７】
すなわち、送球部２０の一対のスロープ部材２１、２１をそれぞれ組み立てる。そして、各スロープ部材２１の差込突起２２ａ及び差込突起２３ａを、送球領域１１ｂに形成された送球部用穴１９ａに差し込み、一対のスロープ部材２１、２１を盤面１１に設置する。
【００３８】
また、複数の野手プレート５０の差込突起５２をゲーム領域１１ａに形成された穴１５に差し込み、野手プレート５０を盤面１１に設置する。さらに、バックスクリーン６０の差込突起６１をバックスクリーン用穴１０ｃに差し込み、バックスクリーン６０を盤面１１に設置する。
【００３９】
そして、バット３３の保持軸３３ｃを、支持部３２の円筒支持部３２ｃに差し込み、第１係止部３２ｄと第２係止部３３ｊの間に輪ゴム３４を架け渡してバッティング部３０を組み立てる。そして、支持部３２の台座部３２ａを、一対のバット用穴３１、３１のどちらか一方に差し込み、バッティング部３０を盤面１１に設置する。このとき、図１（ａ）に示すように、第１係止部３２ｄが捕球部４０に向いた状態でバッティング部３０を取り付ける。また、バッティング部３０を設置するバット用穴３１は、任意に選択することができる。
【００４０】
送球部２０等の設置が完了したら野球ゲームを開始する。すなわち、ボールＢを送り出す人（以下「投手」という）は、一対のスロープ部材２１、２１のうち、どちらか一方を選択する。そして、選択した一方のスロープ部材２１の送球溝２４の途中位置にボールＢを載置する。このとき、ボールＢが転がらないように指先等で押さえておく。一方、バッティング部３０を操作する人（以下、「打者」という）は、保持軸３３ｃを中心にバット本体３３ａを任意の角度まで人力で回転させ、指先等で押さえて回転状態を保持する。このとき、輪ゴム３４は自身の弾性力に抗して変形させられる。
【００４１】
そして、投手は、任意のタイミングでボールＢの押さえを解除する。これにより、ボールＢは、自重によって送球溝２４を転がっていき、送球口２１ａからホームベース１３ｋに向かって送り出される。なお、ボールＢを送球溝２４に沿って転がす際、指先等でボールＢに回転をかけると、ボールＢの軌道を曲げてカーブボールにしたり、バックスピンとサイドスピンの間の回転軸を持つシュートボールにすることができる。
【００４２】
これに対し、打者は、ホームベース１３ｋに向かって転がってくるボールＢの位置を確認しつつ、バット３３の回転状態を解除する。これにより、輪ゴム３４の弾性変形力でバット３３が自動的に回転させられ、バット３３にボールＢが干渉すれば、ボールＢが打ち返される。
【００４３】
また、バックスクリーン６０を設置したことで、打者から見てバックスクリーン６０の後方に送球部２０が設置されることになる。そのため、打者は、投手の手元操作が見えにくくなる。そのため、投手がボールＢに左右の回転を与えたり、スロープ部材２１でのボールＢの送り出す位置を変化させたりして投球にアレンジを加えても、打者から確認しにくく、ボールＢを打ち返すタイミングを計りにくくすることができる。また、ボールＢが一対のスロープ部材２１、２１のどちらから送り出されるのかについても確認しにくいため、例えば、使用するスロープ部材２１を自由に選択できるルール等にした場合、ボールＢを打ち返すタイミングをさらに計りにくくできる。
【００４４】
そして、バッティング３０で打ち返された打球が第１貫通孔１４に入ると「アウト」をカウントする。また、打球が第２貫通孔１６又は第３貫通孔に入ると「ファウル」をカウントする。また、打球が第４貫通孔１８に入ると、第４貫通孔１８の位置に応じて予め設定した「一塁打」「二塁打」「三塁打」を適宜カウントする。さらに、打球が、フェアグランドから第４貫通孔１８の間を抜けてゲーム領域１１ａの外側に出れば「ホームラン」をカウントする。
【００４５】
一方、送球部２０から送り出されたボールＢをバッティング部３０にて打ち返すことができず、このボールＢが捕球部４０のうちの中央の貫通孔４１に入ると、「ストライク」をカウントする。また、ボールＢが捕球部４０のうちの左右の貫通孔４１のいずれかに入ると、「ボール」をカウントする。なお、このような遊び方のルールについては、任意に決めることができ、必要に応じて変更可能である。
【００４６】
このように、この野球盤１では、送球部２０からボールＢを送り出し、バッティング部３０にてボールＢを打ち返す又は空振りして、ボールＢが入った穴によって打球の結果が決まり、ゲームを進めていく。
【００４７】
ここで、実施例１の野球盤１では、ゲーム盤本体１０がゲーム領域１１ａを有する盤面１１と、この盤面１１に対向する裏面１２とがいずれも平坦な板状部材である。そのため、ゲーム領域１１ａの周囲に、盤面１１から起立するスタンド部や周壁部を設けたり、ゲーム盤本体１０の裏面１２に投球のための機構を設けたりした野球盤と比べて、ゲーム盤本体１０の厚みＷを薄くすることができる。これにより、狭い隙間であってもゲーム盤本体１０を収納することが可能となる。
【００４８】
また、この実施例１のゲーム盤本体１０には、壁掛け用穴１９ｂが形成されている。そのため、この壁掛け用穴１９ｂを利用して、ゲーム盤本体１０を壁に掛け、壁面を利用して常に見えるようにしながら収納するいわゆる壁掛け収納とすることができる。この場合であっても、ゲーム盤本体１０の厚みＷが比較的薄いことから、ゲーム盤本体１０が壁からほとんど出っ張ることがない。よって、ゲーム盤本体１０を収納しやすくなり、収納性の優れた野球盤１とすることができる。
【００４９】
なお、壁掛け用穴１９ｂを利用してゲーム盤本体１０を壁に掛けたときには、ゲーム盤本体１０を壁飾りのようなインテリア雑貨として活用することも可能となる。すなわち、野球が好きな人には、応援している球団のマークや選手の写真が付されたグッズを飾りたいという要望がある。これに対し、実際の球団のマーク等が付された野球盤が市販されているが、このようなゲーム盤本体は厚みがあるため、壁に掛けて飾ると邪魔になる。これに対し、実施例１の野球盤１では、ゲーム盤本体１０が平坦な板状部材である。このため、ゲーム盤本体１０に球団のマーク等を付したものを壁に掛けても壁面からほとんど出っ張らずにゲーム盤本体１０を飾ることができ、野球が好きな人の要望を叶えることが可能となる。
【００５０】
また、ここでは、ゲーム盤本体１０を透明部材であるアクリルプレートによって形成し、裏面１２に印刷層１２ａを設けている。そのため、ゲーム盤本体１０越しに、盤面１１側から印刷層１２ａを視認することになる。これにより、盤面１１上でボールＢを転がすと、このボールＢを浮いたように見せることができる。
【００５１】
さらに、印刷層１２ａを、表示面が互いに反対方向を向いた一対の描画層によって白色層を挟んだ三層構造とした場合、盤面１１側から印刷層１２ａの一方の表示面を視認することができる一方、ゲーム盤本体１１を引っくり返して裏面１２を表にしたときには、印刷層１２ａの他方の表示面を視認することができる。この場合、ゲーム盤本体１０を引っくり返すことで、異なる模様を表示することができる。
【００５２】
しかも、この実施例１の野球盤１では、ゲーム盤本体１０に形成された各種の貫通孔や穴の配置が左右対称になっている。そのため、ゲーム盤本体１０を引っくり返して裏面１２を上方に向けたときにも、野球盤１として成立させることができる。これにより、印刷層１２ａを、表示面が互いに反対方向を向いた一対の描画層によって白色層を挟んだもので構成すれば、ゲーム盤本体１０を引っくり返すことで盤上の模様が異なり、異なるゲーム盤本体１０で遊んでいる感覚を持たせることができる。
【００５３】
また、この野球盤１の送球部２０は、捕球部４０の前方に設けられたホームベース１３ｋの正面方向Ｏ１を挟んで隣接配置された一対のスロープ部材２１を有している。そして、この一対のスロープ部材２１は、ボールＢを送り出す送球口２１ａがそれぞれホームベース１３ｋに向けられている。そのため、送球部２０では、ホームベース１３ｋに対して、斜め左前方又は斜め右前方からボールＢを送り出すことになる。これにより、右ピッチャーによる投球軌道や、左ピッチャーによる投球軌道を模すことが可能となり、現実味のある野球を盤上で再現することができる。
【００５４】
また、送球部２０は、盤面１１に設けられたゲーム領域１１ａの周縁の外側に形成された送球領域１１ｂに設けられている。そのため、送球部２０が打球の邪魔にならず、打ち返したボールＢが送球部２０と干渉して不適当な貫通孔に入ってしまうことを防止できる。また、例えば、送球部２０をゲーム領域１１ａ内のピッチャーズマウンド１３ｆ付近に設置した場合と比べて、投球軌道を長く確保することができる。これにより、ボールＢを打ち返すタイミングを計りやすくなる。
【００５５】
なお、この実施例１では、送球部２０の送球機構が、送球口２１ａに向かって傾斜して次第に低くなる送球溝２４を有するスロープ部材２１によって構成されている。そのため、簡易な構造でボールＢを適切な方向に向けて送り出すことができる。また、ボールＢを送り出す際に載置する位置によってボールＢの速さに変化を持たせることができ、送球速度の変更も簡単に行うことができる。
【００５６】
一方、実施例１の野球盤１におけるバッティング部３０は、バット３３と、盤面１１から起立すると共に上方に開放した円筒支持部３２ｃと、を有している。ここで、バット３３は、棒状のバット本体３３ａと、バット本体３３ａのグリップ３３ｂから径方向に突出すると共に円筒支持部３２ｃに回転可能に差し込まれる保持軸３３ｃと、バット本体３３ａの周面から保持軸３３ｃと同一の方向に突出した板状の打撃板３３ｄと、を有している。そして、保持軸３３ｃと打撃板３３ｄとの間には、ボールＢが通過可能な間隙３３ｇが設けられている。
【００５７】
これにより、バッティング部３０では、バット本体３３ａを支持する円筒支持部３２ｃの近傍に転がってきた投球は、間隙３３ｇを通って捕球部４０に捕球される。すなわち、いわゆる内角寄りの投球がバット３３に干渉して打ち返されてしまうことを防止でき、より現実味のある野球を再現することができる。
【００５８】
なお、実施例１では、ホームベース１３ｋを挟んで一対のバット用穴３１、３１が形成されており、バッティング部３０は一対のバット用穴３１、３１のどちらかに対して設置される。一方、送球部２０では、一対のスロープ部材２１、２１のうちのどちらか一方を選択してボールＢを送り出す。そのため、これらの選択の組み合わせによって、右ピッチャーが右バッターに対して強く、左ピッチャーが左バッターに対して強いというような、実際の野球における駆け引きを再現して遊ぶことが可能となる。
【００５９】
さらに、ここでは、バッティング部３０が、盤面１１に形成された第１係止部３２ｄと、バット本体３３ａのグリップエンド３３ｈに形成された第２係止部３３ｊと、第１係止部３２ｄ及び第２係止部３３ｊの間に架け渡された弾性変形可能な輪ゴム３４と、を有している。そして、円筒支持部３２ｃを中心にしてバット本体３３ａを回転させ、輪ゴム３４の弾性変形力でバット本体３３ａを回転させる構成となっている。
【００６０】
このため、簡易的な構造でバット３３を自動的に回転させることができ、不具合を発生しにくくすることができる。また、輪ゴム３４の弾性変形力が弱まったときにも、輪ゴム３４を新しいものに交換すれば弾性変形力を回復できて一定の力を維持させことができるので、メンテナンスが行いやすい。さらに、バット本体３３ａの回転角度や、輪ゴム３４の弾性強度等を変更することで、バット３３の回転速度を変えることができ、バッティング部３０におけるボールＢを打ち返す強さ（打力）を容易に調整することができる。そのため、例えば下位打線は回転角度１８０°以下、上位打線は回転角度２２５°以下、クリーンナップは回転角度２７０°以下等のルールを設定することで、より現実味のある野球を再現して遊ぶことができる。
【００６１】
なお、バネの巻き方向によってバット３３の回転方向が規制されるが、左右それぞれ専用のバッティング部３０を形成することで、第１係止部３２ｄ及び第２係止部３３の間を連結する弾性部材として巻きバネを用いることも可能である。
【００６２】
以上、本発明の野球盤を実施例１に基づき説明してきたが、具体的な構成については、この実施例に限られるものではなく、特許請求の範囲の各請求項に係る発明の要旨を逸脱しない限り、設計の変更や追加等は許容される。
【００６３】
実施例１の野球盤１では、捕球部４０においてボールＢを捕球するへこみ段差４１ａを形成するため、ゲーム盤本体１０を貫通する貫通孔４１が形成されている。しかしながら、これに限らず、捕球部４０がへこみ段差４１ａを有していればよいので、必ずしもゲーム盤本体１０を貫通する必要はなく、盤面１１をへこませた凹部によって捕球部４０を構成してもよい。また、第１貫通孔１４や第２貫通孔１６、第３貫通孔１７、第４貫通孔１８においても、それぞれ盤面１１をへこませた凹部によって構成してもよい。
【００６４】
実施例１では、送球部２０をゲーム領域１１ａの外側に形成した送球領域１１ｂを設けた例を示した。しかしながら、これに限らず、ゲーム領域１１ａ内に送球部２０を設けてもよい。この場合では、送球領域１１ｂが不要になり、ゲーム盤本体１０を小型化することができる。
【００６５】
また、実施例１では、送球部２０における送球機構として、ボールＢが自重で転がっていくスロープ部材２１とする例を示したが、これに限らない。例えば、バネの段発力によってボールＢを弾いて送り出す機構としてもよい。
【００６６】
また、実施例１では、送球機構であるスロープ部材２１が一対のスローププレート２３、２３を有し、この一対のスローププレート２３、２３の間に生じる隙間によって送球溝２４を形成した例を示した。しかしながら、これに限らない。例えば、ボールＢの直径よりも厚みの厚いスローププレートによってスロープ部材２１を形成し、斜面２３ｃに溝状にへこませることで送球溝を形成してもよい。さらに、スロープ部材２１は、台座プレート２２に一対のスローププレート２３、２３を連結し、これらを組み立てることで形成される例を示したが、これに限らない。例えば、樹脂成型によって台座プレート２２及び一対のスローププレート２３、２３を一体的に形成してもよい。
【００６７】
実施例１では、ゲーム盤本体１０を透明部材であるアクリルプレートによって形成した例を示したが、これに限らない。例えば、ケミカルウッド、ファイバーボードや合板、不透明なプラスチックプレートであってもよい。この場合には、盤面１１に印刷層１２ａを設けてもよい。さらに、盤面１１や裏面１２に印刷層１２ａを設けなくてもよい。
【００６８】
また、第１貫通孔１４、第２貫通孔１６、第３貫通孔１７及び第４貫通孔１８の数や位置は実施例１に示すものに限らず、任意に設定することができる。また、野手プレート５０の形状や設置位置、数等についても、任意に設定することができる。さらに、走者を示すピンやプレート等を盤面１１に取り付け可能としてもよい。
【００６９】
実施例１では、送球部２０やバッティング部３０、野手プレート５０等をゲーム盤本体１０から取り外し可能とし、この野球盤１を使用する際に必要に応じてこれらを取り付ける例を示した。そのため、この送球部２０等をより小さな部品に分解して収納することができ、収納性の向上をさらに図ることができる。また、送球部２０等は、ゲーム盤本体１０に形成された穴１５等に対して抜き差しすることで着脱が可能である。そのため、野球盤１の組み立てを容易に行うことができ、簡単に遊ぶことができる。
【００７０】
実施例１では、レーザー加工によってゲーム領域１１ａに各種のラインや塁ベース等が描画されているが、必要なラインや模様は、シールや印刷等によって付してもよい。また、ゲーム盤本体１０をバキューム成形や射出成形による成形品とし、表面に施した凹凸によってライン等を示してもよい。
【符号の説明】
【００７１】
１      野球盤
１０    ゲーム盤本体
１１    盤面
１１ａ  ゲーム領域
１１ｂ  送球領域
１２    裏面
１２ａ  印刷層
１３ｋ  ホームベース
２０    送球部
２１    スロープ部材（送球機構）
２１ａ  送球口
３０    バッティング部
３２    支持部
３２ｃ  円筒支持部
３２ｄ  第１係止部
３３    バット
３３ａ  バット本体
３３ｂ  グリップ
３３ｃ  保持軸
３３ｄ  打撃板
３３ｇ  間隙
３３ｈ  グリップエンド
３３ｊ  第２係止部
３４    輪ゴム（弾性部材）
４０    捕球部
Ｂ      ボール
【図１】
2020065730.tif 000003
【図２】
2020065730.tif 000004
【図３】
2020065730.tif 000005
【図４】
2020065730.tif 000006
【図５】
2020065730.tif 000007